(57)【要約】【課題】少ない消費電力により人体への影響を軽減させるとともに、サイズの小型化を図り、しかも体内において皮膚表面から浅い箇所に埋設可能とされていることにより、体内からの各種通信をより効果的に行う。【解決手段】人体の内部に埋め込まれ、人体内で電磁波を送受信し、又は自由空間と人体との間で電磁波を送受信するための人体埋設型アンテナ１において、誘電性の基板１１上に形成された第１のアンテナ導体１２と、第２のアンテナ導体１３とが互いに平行かつ矩形状に９０°単位で巻回させてなり、第１のアンテナ導体１２の内側先端１２ｂの延長方向と、第２のアンテナ導体１３の内側先端１３ｂの延長方向とが互いに正逆向きとされている。【選択図】図２
2009106307.tif 000002
【特許請求の範囲】
【請求項１】
人体の内部に埋め込まれ、人体内に対して電磁波を送信し、又は人体内からの電磁波を検知するための人体埋設型アンテナにおいて、
誘電性の基板上に形成された第１のアンテナ導体と、第２のアンテナ導体とが互いに平行かつ矩形状に９０°単位で巻回させてなり、
上記第１のアンテナ導体の内側先端の延長方向と、上記第２のアンテナ導体の内側先端の延長方向とが互いに正逆向きとされていること
を特徴とする人体埋設型アンテナ。
【請求項２】
上記基板は、厚さ１ｍｍであり、
上記第１のアンテナ導体並びに第２のアンテナ導体は、それぞれ厚さ０．０３６ｍｍ以下の銅で構成され、さらにその上層には厚さ１ｍｍの誘電性のカバーが形成されていること
を特徴とする請求項１記載の人体埋設型アンテナ。
【請求項３】
人体内に埋設可能とされていること
を特徴とする請求項１又は２記載の人体埋設型アンテナ。
【請求項４】
外部機器との間で送受信する信号は、４０２〜４０５ＭＨｚであること
を特徴とする請求項１〜３のうち何れか１項記載の人体埋設型アンテナ。
【発明の詳細な説明】
【技術分野】
【０００１】
本発明は、人体の内部に埋め込まれ、人体内で電磁波を送受信し、又は自由空間と人体との間で電磁波を送受信するための人体埋設型アンテナに関する。
【背景技術】
【０００２】
近年における医療では、人体内に電子デバイスを埋設(インプラント)して、人体の治療や診断を行うケースが増加している。このため、体内に埋設された電子デバイスと基地局との間で無線通信リンクを確立して無線通信を行うシステムに関する研究も注目を浴びている。中でもリアルタイムに患者の検査データを取得するため、通信の高速化、利用しやすさ、信頼性に焦点を当てたシステムの構築も進展しつつある。
【非特許文献１】C. L. Chen and R. W. P. King, “The small bare loop antenna immersed in a dissipative medium,” IEEE Trans. on Antennas and Propagation,, pp. 266-269, May 1963.
【非特許文献２】G. S. Smith, “On the electrically small bare loop antenna in a dissipative medium,” IEEE Trans. on Antennas and Propagation, vol. 24, 4, pp. 533-537, July 1976.
【発明の開示】
【発明が解決しようとする課題】
【０００３】
人体埋設型デバイスでは、人体内及び／又は人体外の外部装置との間で、電磁気的にカップリングされる必要がある。実際にそのカップリングを起こさせるためには、人体内に対して電磁波を送信し、又は人体内からの電磁波を検知するための人体埋設型アンテナが必要となる。人体埋設型アンテナの動作環境としては、従来における無線通信の環境と全く異なるものである。
【０００４】
人体埋設型アンテナは、先ず超小型で構成される必要があり、低電圧で動作する必要がある。このため通信効率に優れたアンテナを提案する必要があり、実際に人体埋設型デバイスによる無線通信システム全体において、その要請は高まっている。人体埋設型アンテナは、人体埋設型デバイス上に接続する上で先ず生体適合性を有するものでなくてはならない。また、人体埋設型アンテナは、電気的なショートや不具合を回避するため、体内から電気的に絶縁されているものでなくてはならない。
【０００５】
人体埋設型アンテナの先行研究としては、例えば非特許文献１、２において開示されている。これらは、渦巻状にループが形成された超小型のアンテナである。これらは何れもアンテナが無限に減衰する環境に置かれた場合を想定しており、あくまで体内において皮膚表面から深い箇所に埋設される場合のみしか有効性を発揮できない。
【０００６】
一般に人体組織中を伝搬する電磁波の波長が短くなるにつれて、電磁波の伝播速度は短くなる。このため、人体埋設型アンテナは、自由空間において波長の１０％より幾何学的に小さく構成することにより、非常に低い通信効率となり、非常に遅いデータレートで動作することになる。
【０００７】
そこで本発明は、上述した問題点に鑑みて案出されたものであり、人体の内部に埋め込まれ、人体内で電磁波を送受信し、又は自由空間と人体との間で電磁波を送受信するための人体埋設型アンテナにおいて、少ない消費電力により人体への影響を軽減させるとともに、サイズの小型化を図り、しかも体内において皮膚表面から浅い箇所に埋設可能とされていることにより、体内からの各種反応をより効果的に検出することも可能な人体埋設型アンテナを提供することにある。
【課題を解決するための手段】
【０００８】
本発明は、上述した課題を解決するために、人体の内部に埋め込まれ、人体内に対して電磁波を送信し、又は人体内からの電磁波を検知するための人体埋設型アンテナにおいて、誘電性の基板上に形成された第１のアンテナ導体と、第２のアンテナ導体とが互いに平行かつ矩形状に９０°単位で巻回させてなり、上記第１のアンテナ導体の内側先端の延長方向と、上記第２のアンテナ導体の内側先端の延長方向とが互いに正逆向きとされていることを特徴とする。
【発明の効果】
【０００９】
上述した構成からなる本発明では、少ない消費電力により人体への影響を軽減させるとともに、サイズの小型化を図り、しかも体内において皮膚表面から浅い箇所に埋設可能とされていることにより、体内からの各種ＲＦ信号をより効果的に検出することが可能となる。また電場と磁場のバランスを取ることが可能となる。
【００１０】
図４は、入力位置におけるアンテナ強度が１Ｗであるときの１-ｇ  ＳＡＲの分布を示している。シミュレーションの結果は、供給電力の殆どが人体組織に吸収され、１．６Ｗ／Ｋｇの限定の下で設計した埋設アンテナのＳＡＲ値を示している。
【００１１】
埋設アンテナを設計するためには、動作するものと想定している媒体内にその埋設体を置いて考えることが必要になる。埋設アンテナは、組織層によって囲まれている媒体においてシミュレートされる。設計した埋設アンテナのシミュレートされたリターンロスを図５に示す。アンテナは、４０２−４０５Ｍｚの周波数帯域において良い一致を示している。
【００１２】
体内から偶発的に生じる電場からアンテナの端子への不整合によるロスを低減させた後の、放射アンテナの電力の時間平均を図６に示す。アンテナのゲインは、図７に示す。また図８は、提案したアンテナの放射パターンをプロットしたものであり、それぞれ周波数が４０３ＭＨｚ、Φ＝０°、Φ＝９０°のときでａ）は、ｙ−ｚ平面、ｂ）は、ｘ−ｚ平面、ｃ）はｘ−ｙ平面である。
【発明を実施するための最良の形態】
【００１３】
以下、本発明を実施するための最良の形態として、人体の内部に埋め込まれ、人体内で電磁波を送受信し、又は自由空間と人体との間で電磁波を送受信するための人体埋設型アンテナについて、図面を参照しながら詳細に説明する。
【００１４】
本発明を適用した人体埋設型アンテナ１は、図１に示すように、基板１１と、基板１１上に形成されたアンテナ導体１２、１３と、アンテナ導体１２、１３上に形成されたカバー１４とを備えている。
【００１５】
基板１１は、厚さ１ｍｍ以下の誘電性材料で構成されている。以下の例において、この基板１１は、比誘電率εｒが３０であるものを想定している。
【００１６】
第１のアンテナ導体１２と第２のアンテナ導体１３は、それぞれ厚さが０．０３６ｍｍの銅で構成されている。図２は、基板１１上に形成されている第１のアンテナ導体１２と第２のアンテナ導体１３の平面図である。この第１のアンテナ導体１２と第２のアンテナ導体１３とは、互いに矩形状に構成されている。第１のアンテナ導体１２は、右下に位置する基点１２ａから上向きに延長され、左方向へ９０°巻回されてそのまま延長され、さらに下方向へ９０°巻回されてそのまま延長され、さらに右方向へ９０°巻回されてそのまま延長されることになる。第１のアンテナ導体１２は、これらのプロセスが繰り返し実行されることにより、順次内周側へ渦巻状に９０°単位で巻回されていく。
【００１７】
第２のアンテナ導体１３は、第１のアンテナ導体１２よりも内周側でしかも第１のアンテナ導体１３と平行となるように、矩形状に９０°単位で巻回される。即ち、第２のアンテナ導体１３の基点１３ａは、第１のアンテナ導体１２における基点１２ａよりも内周側に位置しており、しかも第１のアンテナ導体１２における巻回位置よりも外周側に位置している。第２のアンテナ導体１３は、当該基点１３ａから、最外周側のアンテナ導体１２と内周側へ巻回されたアンテナ導体１２の中間を上方向に向けて延長されることになる。このようにして、第２のアンテナ導体１３は、第１のアンテナ導体１２の中間を沿うようにして、矩形渦巻状に９０°単位で巻回されていくことになる。
【００１８】
第１のアンテナ導体１２並びに第２のアンテナ導体１３ともに略正方形状となるように巻回されていくことになる。例えば、第１のアンテナ導体１２の最外周は、８．２×８．１ｍｍのサイズで構成されていてもよい。
【００１９】
また、第１のアンテナ導体１２における内側先端１２ｂの延長方向は左向きとなっている。これに対して、第２のアンテナ導体１３における内側先端１３ｂは、右向きとなっている。即ち、これら内側先端１２ｂ、１３ｂは互いに正逆向きとなるように形成されている。
【００２０】
即ち、このような巻回された第１のアンテナ導体１２並びに第２のアンテナ導体１３は、いわゆるマルチターン型のダイポールアンテナを構成する。
【００２１】
また、この第１のアンテナ導体１２並びに第２のアンテナ導体１３は、外周側においては互いに同一方向で平行に巻回されているのに対して、内側先端１２ｂ、１３ｂにおいては互いに正逆向きとなるように形成されている。
【００２２】
このアンテナ導体１２、１３の上に形成されているカバー１４は、厚さ１ｍｍ以下の誘電性材料で構成されている。以下の例において、この基板１１は、比誘電率εｒが１．０００６であるものを想定している。
【００２３】
図３は、本発明を適用した人体埋設型アンテナ１を実際に体内に埋設する例を示している。最表面の皮膚から、脂肪、筋肉、骨に至る体内において、本発明を適用した人体埋設型アンテナ１は、筋肉に埋設される。図３においては、皮膚が２ｍｍ、脂肪が３ｍｍ、筋肉３０ｍｍ、骨１０ｍｍからなる組織において、人体埋設型アンテナ１を、表層からの筋肉１０ｍｍと下層からの筋肉２０ｍｍの間に埋設させている例を示している。その結果、この人体埋設型アンテナ１は、骨からある程度浅い位置において埋設されることになる。特に本発明を適用した人体埋設型アンテナ１においては、８．２×８．１ｍｍの平板状で、しかも３ｍｍ以下の薄い板厚で構成されていることから筋肉の間であっても容易に埋設することができる。
【００２４】
なお、本発明では、アンテナとしての機能を発揮する第１のアンテナ導体１２、第２のアンテナ導体１３を直接的に体内に埋設するのでは無く、あくまで基板１１とカバー１４により上下面を保護した状態で埋設する。これにより、アンテナ導体１２、１３がショートしてしまうのを防止することが可能となる。
【００２５】
また、この人体埋設型アンテナ１は、外部機器に対して信号を送信することも可能となる。
【００２６】
このとき、外部機器との間で送受信する信号は、４０２〜４０５ＭＨｚとしてもよい。人体埋設型アンテナ１が小さくても、通信効率を向上させることが可能となる。また、この人体埋設型デバイス１を利用した無線通信システムにおいて、４０２〜４０５ＭＨｚの周波数帯域を利用することにより、人体への影響の軽減を優先して通信を低電圧で実現することができる。
【産業上の利用可能性】
【００２７】
心臓のペースメーカとの間で通信を行ったり、また体内と外部機器との間で無線信号を送受信する等、医療面、健康管理面の利用が期待される。
【図面の簡単な説明】
【００２８】
【図１】本発明を適用した人体埋設型アンテナの側面図である。
【図２】本発明を適用した人体埋設型アンテナの平面図である。
【図３】本発明を適用した人体埋設型アンテナを実際に体内に埋設する例を示す図である。
【図４】設計した埋設アンテナの周波数４０３ＭＨｚにおけるＳＡＲ分布を示す図である。
【図５】本発明が適用されるアンテナのリターンロスを示す図である。
【図６】本発明が適用されるアンテナによる受信電力を示す図である。
【図７】本発明が適用されるアンテナによるゲインを示す図である。
【図８】本発明が適用されるアンテナによる放射パターンを示す図である。
【符号の説明】
【００２９】
１  人体埋設型アンテナ
１１  基板
１２、１３  アンテナ導体
１４  カバー
【図１】
2009106307.tif 000003
【図２】
2009106307.tif 000004
【図３】
2009106307.tif 000005
【図６】
2009106307.tif 000006
【図８】
2009106307.tif 000007
【図４】
2009106307.tif 000008
【図５】
2009106307.tif 000009
【図７】
2009106307.tif 000010
【外国語明細書】
[Title of the invention] HUMAN BODY IMPLANTABLE ANTENNA FOR 
MEDICAL WIRELESS COMMUNICATIONS SYSTEM
[Technical field]
【０００１】
The present invention relates to an implant type 
antenna to be implanted in a human body to transmit/detect 
an electromagnetic wave within the body or to 
transmit/detect an electromagnetic wave from/to within the 
body to/from free space.
[Background art]
【０００２】
In the recent medical field, there are increasing 
cases of implanting an electronic device in a human body to 
treat and diagnose the body.  In this situation, attention 
is also paid to studies on systems which establish a 
wireless communication link between an electronic device 
implanted in a body and a base station to effect wireless 
communications therebetween.  There is a noticeable progress 
on construction of systems which are addressed to faster 
communication, and higher usability and reliability thereof 
to acquire test data of patients in real time.
[Disclosure of the invention]
[Problems to be solved by the invention]
【０００３】
An implant type device for a human body needs to be 
magnetically coupled to an external device inside a body 
and/or an external device outside the body.  Actually, 
effecting magnetic coupling requires an implant type antenna 
to transmit an electromagnetic wave within a body or detect 
an electromagnetic wave from within the body.  An 
operational environment for the implant type antenna is 
quite different from the conventional wireless communication 
environment.
【０００４】
First of all, an implant type antenna for a human body 
should have a microconfiguration, and should operate on a 
low voltage.  It is therefore necessary to propose an 
antenna excellent in communication efficiency.  The demand 
for such an antenna is actually increasing for whole 
wireless communication systems involving implant type 
antennas.  To be connected to an implant type device, first, 
an implant type antenna should have biocompatibility.  
Further, the implant type antenna for a human body should be 
electrically insulated from inside a body to avoid electric 
short-circuiting or electric malfunction.
【０００５】
Anticipated studies on implant type antennas are 
disclosed in, for example, Non-patent Documents 1 and 2.  
Those documents disclose microminiature antennas having 
spiral turns.  Both antennas are premised on that the 
antennas are placed under an environment where the antenna 
characteristic is attenuated infinitely, and demonstrate the 
effectivity only when each antenna is implanted in a body at 
a deep location from the skin surface.
【０００６】
In general, the shorter the wavelength of an 
electromagnetic wave propagating in human tissues is, the 
shorter the propagation speed of the electromagnetic wave 
becomes.  As an implant type antenna is configured 
geometrically smaller than 10% of the wavelength in free 
space, therefore, the implant type antenna has a very low 
communication efficiency and operates at a considerably slow 
data rate.
[Non-patent Document 1]  C. L. Chen and R. W. P. King, 
"The small bare loop antenna immersed in a dissipative 
medium," IEEE Trans. on Antennas and Propagation, pp. 266-
269, May 1963.
[Non-patent Document 2]  G. S. Smith, "On the 
electrically small bare loop antenna in a dissipative 
medium," IEEE Trans. on Antennas and Propagation, vol. 24, 4, 
pp. 533-537, July 1976.
【０００７】
Accordingly, it is an object of the present invention 
to provide an implant type antenna which is to be implanted 
in a human body to transmit/detect an electromagnetic wave 
within the body or to transmit/detect an electromagnetic 
wave from/to within the body to/from free space
, suppresses an influence to a body with smaller dissipation 
power, and can be reduced in size and be implanted in the 
body at a shallow location from a skin surface to thereby 
more effectively detect various reactions from within the 
body.
[Means for solving the problems]
【０００８】
To achieve the object, according to one aspect of the 
present invention, there is provided an implant type antenna 
which is to be implanted in a human body to transmit an 
electromagnetic wave within the body or detect an 
electromagnetic wave from within the body, and comprises a 
dielectric substrate; and a first antenna conductor and a 
second antenna conductor formed on the substrate in such a 
way as to be turned in a rectangular form at 90 degrees at 
corners thereof in parallel to each other, an extending 
direction of an inner distal end of the first antenna 
conductor being reverse to an extending direction of an 
inner distal end of the second antenna conductor.
[Effect of the invention]
【０００９】
The present invention with the foregoing structure 
suppresses an influence to a human body with smaller 
dissipation power and can be reduced in size and be 
implanted in the body at a shallow location from a skin 
surface to thereby more effectively detect various RF signal 
from within the body.  It is also possible to balance an 
electric field and  magnetic field.
【００１０】
Fig. 4 shows the 1-g SAR distribution when the antenna 
input power at feed point is 1 W. The simulation result 
shows that the SAR value for the designed implanted antenna 
is well under limitation of 1.6 W/Kg. even though most of 
the delivered power is absorbed in the human tissues.
【００１１】
To design an implant antenna, it is necessary to place 
the implant in the medium in which it will be expected to 
operate. The implanted antenna is simulated in a medium, 
surrounded by tissue layers. The simulated return loss of 
the designed implanted antenna is shown in Fig. 5. The 
antenna shows good impedance matching in the frequency band 
of 402-405 MHz. 
【００１２】
The amount of the time averaged power on a radiating 
antenna after reducing the mismatch loss due to the port of 
antenna from the incident power inside the body is shown in 
Fig. 6. The antenna gain is illustrated in Fig. 7. Fig. 8 
plots the radiation patterns of the proposed antenna in the 
a) y-z, b) x-z, and c) x-y planes at frequency of 403 MHz 
for ф = 0° and ф = 90°.
[Best mode for carrying out the invention]
【００１３】
An implant type antenna to be implanted in a human body 
to transmit transmit/detect an electromagnetic wave within 
the body or to transmit/detect an electromagnetic wave 
from/to within the body to/from free space
will be elaborated as the best mode of carrying out the 
invention referring to the accompanying drawings.
【００１４】
As shown in Fig. 1, an implant type antenna 1 to which 
the present invention is adapted includes a substrate 11, 
antenna conductors 12 and 13 formed on the substrate 11, and 
a cover 14 formed on the antenna conductors 12, 13.
【００１５】
The substrate 11 is formed of a dielectric material 
with a thickness of 1 mm or less.  In the following example, 
the substrate 11 is assumed to have a dielectric constant εr 
of 30.
【００１６】
The first antenna conductor 12 and the second antenna 
conductor 13 are formed of copper with a thickness of 0.036  
mm .  Fig. 2 is a plan view of the first antenna conductor 
12 and the second antenna conductor 13 formed on the 
substrate 11.  The first antenna conductor 12 and the second 
antenna conductor 13 are formed in a rectangular  form.  The 
first antenna conductor 12 extends upward from a base 12a at 
a lower right position, is turned leftward at 90 degrees, 
extends leftward, is turned downward at 90 degrees, extends 
downward, is further turned rightward at 90 degrees, and 
extends rightward.  As those processes are repeated, the 
first antenna conductor 12 is turned in a spiral form at 90 
degrees at corners thereof inwardly one turn after another.
【００１７】
The second antenna conductor 13 is turned in a 
rectangular spiral form at 90 degrees at corners thereof 
inwardly of the first antenna conductor 12 and in parallel 
thereto.  That is, a base 13a of the second antenna 
conductor 13 is positioned inwardly of the base 12a of the 
first antenna conductor 12, and is positioned outwardly of 
the looped-back position of the first antenna conductor 12.  
The second antenna conductor 13 extends upward from the base 
13a between the outermost turn and the second outermost turn 
of the first antenna conductor 12.  The second antenna 
conductor 13 is turned in a rectangular  form at 90 degrees 
at corners thereof along the space between adjoining turns 
of the first antenna conductor 12.
【００１８】
The first antenna conductor 12 and the second antenna 
conductor 13 are both turned in approximately a square shape.  
For example, the outermost turn of the first antenna 
conductor 12 may have a size of 8.2 × 8.1 mm. 
【００１９】
The extending direction of the inner distal end 12b of 
the first antenna conductor 12 is leftward, whereas the 
extending direction of the inner distal end 13b of the 
second antenna conductor 13 is rightward.  That is, the 
inner distal ends 12b, 13b are formed so as to be directed 
reversely.
【００２０】
The first antenna conductor 12 and the second antenna 
conductor 13 turned in the above manner constitute a so-
called multiturn dipole antenna.
【００２１】
The first antenna conductor 12 and the second antenna 
conductor 13 are turned in the same direction and in 
parallel to each other on an outer turn side, but are 
directed reversely at the inner distal ends 12b, 13b.  This 
configuration can balance electric and magnetic fields.The 
antenna itself is a type of Electrical antenna, looking 
closely to the feeding point, it is dipole antenna. The 
magnetic field between two conductors is increasing due to 
multi-turn., 
【００２２】
The cover 14 formed on the antenna conductors 12, 13 is 
made of a dielectric material with a thickness of 1 mm or 
less.  In the following example, the cover 14 is assumed to 
have a dielectric constant εr of 1.0006.
【００２３】
Fig. 3 shows an example where the implant type antenna 
1 for human body to which the present invention is adapted 
is actually implanted in a body.  In a body having covering 
a skin at the topmost surface thereof, to fats, muscles and 
bones, the implant type antenna 1 to which the present 
invention is adapted is implanted in a muscle.  Fig. 3 shows 
an example where the implant type antenna 1 implanted in a 
tissue consisting of a skin of 2 mm, a fat of 3 mm, a muscle 
of 30 mm and a bone of 10 mm, between the muscle of 10 mm 
from the top layer and the muscle of 20 mm from the 
underlying layer.  Accordingly, the implant type antenna 1 
is implanted at a position relatively shallow from the bone.    
Particularly, as the implant type antenna 1 to which the 
present invention is adapted is formed into a thin flat 
plate of 8.2 × 8.1 mm and of a 3 mm or less in thickness, 
the antenna 1 can be easily implanted even between muscles.
【００２４】
In the present invention, the first antenna conductor 
12 and the first antenna conductor 12, which demonstrate the 
antenna function, are not directly implanted in a body, but 
the antenna conductors 12, 13 with the top and bottom sides 
thereof protected by the cover 14 are implanted.  This 
prevents the antenna conductors 12, 13 from being short-
circuited.
【００２５】
The implant type antenna 1 can also transmit signals to 
an external device.
【００２６】
Signals may be transmitted and received to and from an 
external device at a frequency of 402 to 405 MHz.   the 
implant type antenna 1 for human body, though miniature it 
is, can enhance the communication efficiency.  Further, a 
wireless communication system using the implant type antenna 
1 for a human body can achieve communications on a low 
voltage from the viewpoint of reducing the influence on a 
body by using the frequency band of 402 to 405 MHz.
[Industrial applicability]
【００２７】
It is expected that the implant type antenna for a 
human body of the present invention is used in medical 
purposes and health management, such as communications for  
a cardiac pacemaker or wireless communications  from inside 
a body  to/from an external device.
[Brief description of the drawings]
【００２８】
[Fig. 1] A side view of an implant type antenna to which 
the present invention is adapted.
[Fig. 2] A plan view of the implant type antenna to which 
the present invention is adapted.
[Fig. 3] A diagram showing an example where the implant type 
antenna to which the present invention is adapted is 
actually implanted in a body.
[Fig. 4] A view of SAR distribution for designed implanted 
antenna at frequency of 403 MHz.
[Fig. 5]A view of Antenna return loss to which the present 
invention is adapted.
[Fig. 6] A view of accepted power by the antenna to which 
the present invention is adapted.
[Fig. 7] A view of Gain of the proposed antenna to which the 
present invention is adapted.
[Fig. 8] A view of radiation pattern to which the present 
invention is adapted.
[Description of reference number]
【００２９】
1: Implant type antenna for a human body
11: Substrate
12, 13: Antenna conductor
14: Cover
[Claim 1]  An implant type antenna to be implanted in a 
human body to transmit an electromagnetic wave within the 
body or detect an electromagnetic wave from within the body, 
the antenna comprising:
a dielectric substrate; and
a first antenna conductor and a second antenna 
conductor formed on the substrate in such a way as to be 
turned in a rectangular form at 90 degrees at corners 
thereof in parallel to each other,
an extending direction of an inner distal end of the 
first antenna conductor being reverse to an extending 
direction of an inner distal end of the second antenna 
conductor.
[Claim 2]  The implant type antenna according to claim 1, 
wherein the substrate is 1 mm in thickness, and
the first antenna conductor and the second antenna 
conductor are formed of copper with a thickness of 0.0036 mm, 
with a dielectric cover of 1 mm in thickness being formed on 
a top of the first antenna conductor and the second antenna 
conductor.
[Claim 3]  The implant type antenna according to claim 1 or 
2, wherein the implant type antenna is implanted in a human 
body.
[Claim 4]  The implant type antenna according to any one of 
claims 1 to 3, wherein a signal is to be transmitted and 
received to and from an external device at a frequency of 
402 to 405 MHz.
[Document name] Abstract
[Abstract]
[Object]  Disclosed is an implant type antenna which 
suppresses an influence to a body with smaller dissipation 
power and can be reduced in size and be implanted in the 
body at a shallow location from a skin surface to thereby 
more effectively detect various communications  from within 
the body.
[Solution]  The implant type antenna 1 for a human body is 
implanted in a body to transmit transmit/detect an 
electromagnetic wave within the body or to transmit/detect 
an electromagnetic wave from/to within the body to/from free 
space.
The antenna 1 comprises a dielectric substrate 11, and a 
first antenna conductor 12 and a second antenna conductor 13 
formed on the substrate 11 in such a way as to be turned in 
a rectangular form at 90 degrees at corners thereof in 
parallel to each other.  The extending direction of an inner 
distal end 12b of the first antenna conductor 12 is reverse 
to the extending direction of an inner distal end 13b of the 
second antenna conductor 13.
[Selected drawing]  Fig. 2
[Fig.1]
2009106307.tif 000011
[Fig.2]
2009106307.tif 000012
[Fig.3]
2009106307.tif 000013
[Fig.4]
2009106307.tif 000014
[fig.5]
2009106307.tif 000015
[fig.6]
2009106307.tif 000016
[fig.7]
2009106307.tif 000017
[fig.8]
2009106307.tif 000018
2009106307.tif 000019
2009106307.tif 000020